(57)【要約】  表示システムは、可視光線であり入力位置を示す第一の光束、及び前記第一光波と異なり前記入力位置を確認する第二の光束を射出する光束射出装置と、表示領域、前記表示領域内に分布され、前記表示領域上に投射される前記第二の光束を感知して感知結果を得る光感知デバイス、及び前記光感知デバイスに接続され前記感知結果に基づいて前記表示領域における前記第二の光束の投射位置を確定し前記第二の光束の投射位置によって対応する操作を実行する処理デバイスを有する表示装置と、を備える。本発明は、表示装置を遠距離からタッチコントロールできる。
2014525100.tif 000002
【特許請求の範囲】
【請求項１】
可視光線であり入力位置を示す第一の光束及び前記第一光束と異なり前記入力位置を確認する第二の光束を射出する光束射出装置と、
表示領域、前記表示領域内に分布され前記表示領域上に投射される前記第二の光束を感知して感知結果を得る光感知デバイス、及び前記光感知デバイスに接続され前記感知結果に基づいて前記表示領域における前記第二の光束の投射位置を確定し前記第二の光束の投射位置によって対応する操作を実行する処理デバイスを有する表示装置と、を備えることを特徴とする、表示システム。
【請求項２】
前記光束射出装置が、
本体と、
前記本体上に設けられる２段ボタンと、
前記本体上に設けられ、前記第一の光束および前記第二の光束を射出する発光モジュールと、
前記本体内に設けられ、前記２段ボタン及び前記発光モジュールに接続され、前記２段ボタンの位置を検知して、異なる位置で前記第一及び第二の光束を射出するようにする制御モジュールと、を備えることを特徴とする、請求項１に記載の表示システム。
【請求項３】
前記２段ボタンが、圧力によって第一の高さ、または前記第一の高さより低い第二の高さまで降下でき、
制御モジュールが、前記２段ボタンの高さを検知し、前記２段ボタンが前記第一の高さまで押圧されたことを検知したとき、前記第一の光束を射出するように前記発光モジュールを制御し、前記２段ボタンが前記第二の高さまで押圧されたことを検知されたとき、前記第二の光束を射出するように前記発光モジュールを制御することを特徴とする、請求項２に記載の表示システム。
【請求項４】
前記表示装置が、カラーフィルム基板及びアレイ基板をさらに備え、
前記カラーフィルム基板が、複数の画素を有し、各前記画素が、少なくとも第一の色のサブ画素を有し、前記第二の光束が、前記第一の色のサブ画素を透過できる光束であり、前記光感知デバイスが、前記第一の色のサブ画素によって透過された前記第二の光束を受光できる位置に設けられることを特徴とする、請求項１〜３のいずれか１項に記載の表示システム。
【請求項５】
前記光感知デバイスが、前記アレイ基板において、前記第一の色のサブ画素に対応する位置に設けられることを特徴とする、請求項４に記載の表示システム。
【請求項６】
各前記第一の色のサブ画素それぞれが１つの前記光感知デバイスに対応し、または複数の前記第一の色のサブ画素が１つの前記光感知デバイスに対応することを特徴とする、請求項５に記載の表示システム。
【請求項７】
前記第一の色のサブ画素が、赤い色のサブ画素、青い色のサブ画素または緑色のサブ画素であることを特徴とする、請求項４〜６のいずれか１項に記載の表示システム。
【請求項８】
前記第一の光束の波長が前記第二の光束の波長と異なり、前記光感知デバイスが、予め設定された強度の前記第一の色の光束を検出したときのみ自身のアドレス情報を前記感知結果として前記処理デバイスに伝送するように設けられ、前記予め設定された強度が、前記第二の光束の強度より小さく環境光における前記第一の色の光束の強度より大きいことを特徴とする、請求項４〜７のいずれか１項に記載の表示システム。
【請求項９】
前記第一の光束が、波長が前記第二の光束の波長と同じであり、強度が前記第二の光束の強度より小さく、前記光感知デバイスが、予め設定された強度の前記第一の色の光束を検出したときのみ自身のアドレス情報を前記感知結果として前記処理デバイスに伝送するように設けられ、前記予め設定された強度が、前記第二の光束の強度より小さく前記第一の光束の強度及び環境光における前記第一の色の光束の強度より大きいことを特徴とする、請求項４〜７のいずれか１項に記載の表示システム。
【請求項１０】
前記表示システムが、１つの前記光束射出装置及び複数の前記表示装置を備えることを特徴とする、請求項１〜９のいずれか１項に記載の表示システム。
【請求項１１】
前記表示システムが、１つの前記光束射出装置及び１つの前記表示装置を有し、前記１つの表示装置内に複数の表示領域があることを特徴とする、請求項１〜９のいずれか１項に記載の表示システム。
【発明の詳細な説明】
【技術分野】
【０００１】
本発明は表示技術領域に関し、特に表示システムに関する。
【背景技術】
【０００２】
時代の発展に従い、タッチパネルは次第に広く応用されている。従来のタッチコントロール技術は、大部分が直接的なタッチ、または近い距離の光検出等による近い距離のタッチコントロールによって、タッチパネルをタッチコントロールするものである。近い距離のタッチコントロールは、ある場合にユーザに不便をもたらすことがある。例えば、ユーザがタッチパネルを有するテレビ表示装置でテレビ番組を見るとき、ユーザとタッチコントロールパネルの距離が遠いので、タッチパネルをタッチコントロールする必要がある場合には、ユーザがタッチパネルの前まで行かないと、タッチコントロールできないので、非常に不便である。
【発明の概要】
【発明が解決しようとする課題】
【０００３】
上記問題に鑑み、本発明は、表示装置を遠距離からタッチコントロールできる表示システムを提供する。
【課題を解決するための手段】
【０００４】
本発明の実施例は、可視光線であり入力位置を示す第一の光束及び前記第一の光束と異なり前記入力位置を確認するための第二の光束を射出する光束射出装置と、表示領域、前記表示領域内に分布され前記表示領域上に投射される前記第二の光束を感知して感知結果を得る光感知デバイス及び前記光感知デバイスに接続され前記感知結果に基づいて前記表示領域における前記第二の光束の投射位置を確定し前記第二の光束の投射位置によって対応する操作を実行する処理デバイスを有する表示装置と、を備える表示システムを提供する。
【０００５】
例えば、前記光束射出装置が、本体と、前記本体上に設けられる２段ボタンと、前記本体上に設けられ、前記第一の光束および前記第二の光束を射出する発光モジュールと、前記本体内に設けられ、前記２段ボタン及び前記発光モジュールに接続され、前記２段ボタンの位置を検知して、異なる位置で前記第一及び第二の光束を射出するようにする制御モジュールと、を備える。
【０００６】
例えば、前記２段ボタンが、圧力によって第一の高さまたは前記第一の高さより低い第二の高さまで降下できる。制御モジュールが、前記２段ボタンの高さを検知し、前記２段ボタンが前記第一の高さまで押圧されたことを検知すると、前記発光モジュールを、前記第一の光束を射出するように制御し、前記２段ボタンが前記第二の高さまで押圧されたことを検知すると、前記発光モジュールを、前記第二の光束を射出するように制御する。
【０００７】
例えば、前記表示装置が、カラーフィルム基板及びアレイ基板をさらに備える。前記カラーフィルム基板が、複数の画素を有し、各前記画素は、少なくとも第一の色のサブ画素を有する。前記第二の光束が、前記第一の色のサブ画素を透過できる光束である。前記光感知デバイスが、前記第一の色のサブ画素によって透過された前記第二の光束を受光できる位置に設けられる。
【０００８】
例えば、前記光感知デバイスは、前記アレイ基板において前記第一の色のサブ画素に対応する位置に設けられる。
【０００９】
例えば、前記第一の色のサブ画素それぞれが１つの前記光感知デバイスに対応し、または複数の前記第一の色のサブ画素毎が１つの前記光感知デバイスに対応する。
【００１０】
例えば、前記第一の色のサブ画素が、赤い色のサブ画素、青い色のサブ画素、または緑色のサブ画素である。
【００１１】
例えば、前記第一の光束の波長が前記第二の光束の波長と異なる。前記光感知デバイスは、予め設定された強度の前記第一の色の光束を検出したときのみ自身のアドレス情報を前記感知結果として前記処理デバイスに伝送するように設けられる。前記予め設定された強度が、前記第二の光束の強度より小さく環境光における前記第一の色の光束の強度より大きい。
【００１２】
例えば、前記第一の光束が、波長が前記第二の光束の波長と同じであり、強度が前記第二の光束の強度より小さい。前記光感知デバイスが、予め設定された強度の前記第一の色の光束を検出したときのみ自身のアドレス情報を前記感知結果として前記処理デバイスに伝送するように設けられる。前記予め設定された強度が、前記第二の光束の強度より小さく前記第一の光束の強度及び環境光における前記第一の色の光束の強度より大きい。
【００１３】
例えば、前記表示システムが、１つの前記光束射出装置及び複数の前記表示装置を備える。
【００１４】
例えば、前記表示システムが、１つの前記光束射出装置及び１つの前記表示装置を有し、前記１つの表示装置内に複数の表示領域がある。
【発明の効果】
【００１５】
本発明の実施例によれば、ユーザは、光束射出装置によって遠距離から表示装置へ第一の光束および第二の光束を射出できる。そのうち、第一の光束は、表示装置の表示領域においてスポットを位置決めするものであり、第二の光束は、表示領域においてスポットをタッチコントロールするものである。また、表示領域内に第二の光束を感知できる光感知デバイスが設けられている。光感知デバイスの感知結果に基づいて表示領域における第二の光束の投射位置が確定でき、第二の光束の投射位置において、対応する操作、例えば、確定操作、手書き操作、カーソルをドラッグする操作等が実行されて、表示装置が遠距離からタッチコントロールされる。
【図面の簡単な説明】
【００１６】
【図１】本発明に係る表示システムの構造を示す概略図である。
【図２】本発明に係る光束射出装置の構造を示す概略図である。
【図３】本発明に係る表示装置の構造を示す概略図である。
【発明を実施するための形態】
【００１７】
以下、図面及び実施例を参照しながら、本発明の具体的な実施形態をさらに詳しく説明する。
【００１８】
図１は本発明に係る表示システム１００の構造を示す概略図である。表示システム１００は、第一の光束及び第二の光束を射出できる光束射出装置１０１と、表示領域１０２１及び非表示用の周辺領域１０２２を有する表示装置１０２と、を備える。第一の光束は、表示領域１０２１においてタッチコントロールの必要のある位置（スポット）を決める位置決め光束であり、即ち、表示領域１０２１上における入力位置を示すものである。また、位置決めは肉眼で見える必要があるので、第一の光束は可視光線である。第二の光束は、表示領域１０２１においてタッチコントロール操作を実行するトリガー光束であり、即ち、第一の光束に示された入力位置を確認するものである。第二の光束は、第一の光束に対して、例えば、強度、波長または光束の横断面の寸法等が異なる。
【００１９】
光束射出装置１０１から射出された第二の光束を感知し、感知した後、対応する操作を行うために、表示装置１０２は、表示領域１０２１内に分布される光感知デバイス（図示しない）と、光感知デバイスに接続される処理デバイス（図示しない）と、をさらに備える。光感知デバイスは、表示領域１０２１上に投射される第二の光束を感知し、感知結果を得るものである。処理デバイスは、感知の結果に基づいて第二の光束の表示領域１０２１上に投射する位置を感知し、第二の光束の投射位置によって対応する操作を実行するものである。
【００２０】
光感知デバイスは、例えば、フォトダイオード、光感知ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化膜半導体）、またはライトガイドＴＦＴ（Ｔｈｉｎ  Ｆｉｌｍ  Ｔｒａｎｓｉｓｔｏｒ、薄膜トランジスタ）等の多種の光感知デバイスを採用することができる。表示装置１０２は複数の光感知デバイスを備えることができ、複数の光感知デバイスは、表示領域１０２１内に分布され、各光感知デバイスは、それぞれ１つのアドレス情報に対応できる。光感知デバイスのいずれかが、光束射出装置１０１から射出された第二の光束を感知したとき、自身のアドレス情報を感知結果として処理デバイスに送信することができ、処理デバイスは光感知デバイスのアドレス情報に基づいて、表示領域１０２１上に投射される第二の光束の位置を確定して、対応する操作を実行する。
【００２１】
光束射出装置１０１は独立の物理的装置であってもよいし、他の物理的装置、例えば、テレビリモコンまたは携帯電話などに集積されてもよい。
【００２２】
ユーザは、光束射出装置１０１を用いて、マウスのクリック操作のように、第二の光束を射出して、表示領域１０２１においてスポットを確定する操作を実現し、或いは、表示領域１０２１において手書き又は姿勢に類似する操作、又は、マウスでカーソルをドラッグすることに類似する操作等を実現する。これらの操作、または操作モードは、例えば予め設定される。
【００２３】
光束射出装置１０１は、第一の光束及び第二の光束の射出を多種の方法で制御することができる。以下、これについて例を挙げて説明する。
【００２４】
図２に示すように、光束射出装置１０１は、例として、本体１０１１及び発光モジュール１０１２を備える。光束射出装置１０１が独立の物理的装置である場合、本体１０１１は、例えば、筆状または円柱体状等の多種の形状であってもよく、図面に示す形状に限られない。光束射出装置１０１が他の物理的装置、例えば、テレビリモコンに集積される場合、本体１０１１はテレビリモコンの本体である。発光モジュール１０１２は本体１０１１上に設けられ、第一の光束及び第二の光束を射出するものである。発光モジュール１０１２は発光ダイオード（ＬＥＤ）等の発光デバイスを採用することができる。
【００２５】
第一の光束及び第二の光束の射出を制御するために、光束射出装置１０１は、２段ボタン１０１３及び制御モジュール（図示しない）をさらに備えてもよい。２段ボタン１０１３は本体１０１１上に設けられ、図２に示すように、２段ボタン１０１３は本体１０１１の一側に設けられる。２段ボタン１０１３の一例として、大きさの異なる押圧力によって、第一の高さ又は第二の高さまで降下することができ、第二の高さは第一の高さより低いもので実現する。制御モジュールは、本体１０１１に設けられ、２段ボタン１０１３および発光モジュール１０１２に接続され、２段ボタン１０１３の高さを検出するが、２段ボタン１０１３が第一の高さまで押圧されたことを検出したときには、第一の光束を射出するように発光モジュール１０１２を制御し、２段ボタン１０１３が第二の高さまで押圧されたことを検出したときには、第二の光束を射出するように発光モジュール１０１２を制御する。
【００２６】
上述した２段ボタン１０１３の制御方法は、デジタルカメラにおいてシャッターを軽く押圧すればピントを合わせ、強く押圧すれば撮影するというような制御モードに類似する。ユーザは２段ボタン１０１３を軽く押圧して、２段ボタン１０１３の高さを第一の高さまで降下させる。制御モジュールは、２段ボタン１０１３の高さが第一の高さまで降下したことを検出したとき、第一の光束を射出するように発光モジュール１０１２を制御し、表示領域１０２１においてタッチコントロールの必要があるスポットの位置を決める。位置決めが終わった後に、ユーザは、２段ボタン１０１３を強く押圧して、２段ボタン１０１３の高さを第二の高さまで降下させる。制御モジュールは、２段ボタン１０１３の高さが第二の高さまで降下したことを検出したとき、第二の光束を射出するように発光モジュール１０１２を制御し、上述した位置決めされたスポットをタッチコントロールする。
【００２７】
尚、光束射出装置１０１は、他の方法によって第一の光束および第二の光束の射出を制御することもできる。例えば、２つのボタン（第一のボタン及び第二のボタン）を設置し、第一のボタンを押圧して第一の光束を射出し、第二のボタンを押圧して第二の光束を射出するようにする。
【００２８】
或いは、光束射出装置１０１に滑りブロック及び滑りレールを設け、滑りブロックが滑りレールの初期位置から第一の位置まで滑らされると、第一の光束を射出し、滑りブロックが第一位置から第二の位置まで滑らされると、第二の光束を射出するようにする。
【００２９】
ここでは例を挙げないが、当然ながら、光束射出装置１０１は、他の適合した構造で第一の光束及び第二の光束の射出を制御することもできる。
【００３０】
上述した複数の光感知デバイスは、光束射出装置１０１から表示領域１０２１上に投射する第二の光束を感知するものであり、複数の光感知デバイスは、表示領域１０２１内に均一に分布でき、各光感知デバイスは１つのアドレス情報に対応する。第二の光束を感知した光感知デバイスを検出することで、表示領域１０２１において第二の光束の位置を確定できる。
【００３１】
光感知デバイスの位置は、一般的に表示装置１０２上の画素の位置に関連して設置する必要がある。以下、これについて詳しく説明する。
【００３２】
本発明実施例では、表示装置を、液晶表示装置を例として説明する。液晶表示装置は、一般的に、カラーフィルム基板、アレイ基板、及びカラーフィルム基板とアレイ基板との間の液晶層を備える。カラーフィルム基板は、複数の画素を備えることができる。各画素は、少なくとも第一の色のサブ画素を有する。第一の色のサブ画素は、赤い色のサブ画素、緑色のサブ画素、青い色のサブ画素、または他の色のサブ画素にすることができる。赤い色のサブ画素は、赤い光のみが透過でき、緑色のサブ画素は緑の光のみが透過でき、青い色のサブ画素は青い光のみが透過できる。
【００３３】
例えば、第二の光束は、第一の色のサブ画素を透過できる光束に設定することができる。つまり、第二の光束は第一の色の光束である。第二の光束を感知するために、光感知デバイスは、第一の色のサブ画素によって透過された第二の光束を受光できる位置、例えば、アレイ基板において第一の色のサブ画素に対応する位置に設けられる。
【００３４】
また、光感知デバイスは、位置決めの精度の要求によって、表示領域内に分布される密度が異なってもよい。例えば、位置決めの精度の要求が高い場合には、第一の色のサブ画素それぞれを１つの光感知デバイスに対応させることができ、位置決めの精度の要求が低い場合には、複数の第一の色のサブ画素を１つの光感知デバイスに対応させることができる。
【００３５】
上述した実施例に記載のように、第一の光束と第二の光束とは異なる。例えば、第一の光束の波長を第二の光束の波長と異なる（即ち、色が異なる）ようにすることができる。第二の光束が第一の色の光束である場合、第一の光束の干渉を避けるために、光感知デバイスは、第一の色の光束が検出されたときのみ、自身のアドレス情報を処理デバイスに伝送するように設けられることができる。また、表示領域１０２１に投射される環境光の干渉を防止するために、光感知デバイスは、予め設定された強度の第一の色の光束を検知するときのみ、自身のアドレス情報を感知結果として処理デバイスに伝送するように設けられることができる。予め設定された強度は、環境光における第一の色の光束の強度より著しく大きくし、第二の光束の強度よりやや小さくする必要がある。
【００３６】
また、第一の光束は、波長は第二の光束の波長と同じであるが、強度は第二の光束の強度より小さいようにしてもよい。第二の光束が第一の色の光束である場合、第一の光束と、環境光における第一の色の光束との干渉を防止するために、光感知デバイスは、予め設定された強度の第一の色の光束を検知するときのみ、自身のアドレス情報を感知結果として処理デバイスに伝送するように設けられることができる。予め設定された強度は、環境光における第一の色の光束の強度及び第一の光束の強度より大きく、第二の光束の強度より小さい必要がある。
【００３７】
第一の光束及び第二の光束は、多種の光束にすることができる。レーザは、他の光束に比べて、方向性がよく、発散角が小さいなどのメリットを有するので、第一の光束および第二の光束は、一般的にレーザを用いる。以下、第一の光束および第二の光束が、異なる強度または異なる波長を有するレーザであることを例として、本発明に係る表示システムの具体的な実施形態を説明する。
【００３８】
（第１実施形態）
本発明の実施例では、赤い光がより容易に得られるので、光束射出装置の第一の光束及び第二の光束はそれぞれ可視光線領域の赤い色のレーザを採用する。第一の光束の強度は第一の強度であり、第二の光束の強度は第二の強度であり、第二の強度は第一の強度より大きい。
【００３９】
図３に示すように、カラーフィルム基板における画素は、赤（Ｒ）、緑（Ｇ）、青（Ｂ）という三つの色のサブ画素からなる。光感知デバイス１０２２は、アレイ基板において赤い色のサブ画素に対応する位置に設けられる。光感知デバイス１０２２は、第二の強度の光束を検知したときのみ、自身のアドレス情報を処理デバイスに伝送するように設けられる。第一の光束が光感知デバイス１０２２に影響を及ぼすことを避けるために、第一の光束の強度と、第二の光束の強度との差を、適切に大きく設けることができる。
【００４０】
光束射出装置が１つの２段ボタンを有するとする。２段ボタンを軽く押圧すると、低い強度の第一の光束の射出をトリガーし、表示装置の表示領域において操作されるべきＡスポットを探す。位置決めが終わった後、２段ボタンを最下部まで押圧すると、強度の高い第二の光束の射出をトリガーして、Ａスポットに対応する光感知デバイス１０２２が第二の光束を感知し、自身のアドレス情報を処理ユニットに伝送する。処理ユニットは、光感知デバイス１０２２からのアドレス情報に基づき、表示領域における第二の光束の位置情報を確定して、対応するタッチコントロール操作を実行する。
【００４１】
上述した実施形態は、位置決め用およびトリガー用の光束が、同じ波長の光束（赤い色の光束）であり、２つの光束の強度を調整することで、異なる制御が実現でき、コストがより低くなるというメリットを有する。
【００４２】
（第２実施形態）
本発明の実施例において、光束射出装置は、第一の光束として可視光線領域の緑色のレーザを用い、第二の光束として赤い色のレーザを用いる。第二の光束は、可視光線であってもよいし、不可視光線であってもよい。
【００４３】
上述と同じように、カラーフィルム基板における画素が赤、緑、青の３色のサブ画素からなることを例として、光感知デバイス１０２２はアレイ基板において赤い色のサブ画素に対応する位置に設けられる。
【００４４】
光束射出装置が１つの２段ボタンを有するとする。２段ボタンを軽く押圧すると、緑色のレーザ（第一の光束）の射出をトリガーし、表示装置の表示領域において操作されるべきＡスポットを探す。位置決めが終わった後、２段ボタンを最下部まで押圧すると、赤い色のレーザ（第二の光束）の射出をトリガーして、Ａスポットに対応する光感知デバイス１０２２は第二の光束を感知し、自身のアドレス情報を処理ユニットに伝送する。処理ユニットは、光感知デバイス１０２２からのアドレス情報に基づいて、表示領域における第二の光束の位置情報を確定し、対応するタッチコントロール操作を実行する。
【００４５】
上述実施形態は、２つの波長の光束を用いるので、位置決め光束の干渉が効果的に避けられ、誤操作が低減されるメリットを有する。
【００４６】
さらに、本発明は、本体と、本体に設けられ、大きさの異なる押圧力によって第一の高さまたは第一の高さより低い第二の高さまで降下できる２段ボタンと、本体に設けられ、可視光線である第一の光束および第一の光束と異なる第二の光束を射出する発光モジュールと、本体内に設けられ、２段ボタン及び発光モジュールに接続され、２段ボタンの高さを検出し、２段ボタンが第一の高さまで押圧されたことを検出すると、第一の光束を射出するように発光モジュールを制御し、２段ボタンが第二の高さまで押圧されたことを検出すると、第二の光束を射出するように発光モジュールを制御する制御モジュールと、を備える光束射出装置を提供する。
【００４７】
ユーザは、光束射出装置によって遠距離から表示装置へ第一の光束および第二の光束を射出することができる。第一の光束は、表示装置の表示領域においてスポットを位置決めするものであり、第二の光束は、表示領域においてスポットをタッチコントロールするものである。表示領域内には、第二の光束を感知できる光感知デバイスが設けられ、光感知デバイスの感知結果に基づいて表示領域上に投射される第二の光束の位置を確定でき、第二の光束の投射位置において、例えば、確定操作、手書き操作、カーソルをドラッグする操作等の対応する操作を実行して、表示装置に対して遠距離からタッチコントロール操作を実行する。
【００４８】
本発明はさらに、表示領域と、表示領域内に分布される光感知デバイスと、光感知デバイスに接続される処理デバイスとを備える表示装置を提供する。光感知デバイスは、表示領域上に投射される予め設定された光束を検知し、感知結果を得るものである。処理デバイスは、感知結果に基づいて、表示領域上に投射される予め設定された光束の位置を確定し、予め設定された光束の投射位置において対応する操作を実行する。
【００４９】
表示装置は、上述した実施例における表示装置の構造と同じであり、上述した実施例における光束射出装置と組み合わせて使用され、予め設定された光束はつまり光束射出装置から射出された第二の光束である。
【００５０】
そして、表示装置は、複数あってもよいし、或いは、１つの表示装置内に複数の表示領域を有してもよく、１つの光束射出装置によって複数の表示領域における複数の画像をそれぞれ制御でき、制御機能がより多様化するようにする。
【００５１】
以上は本発明の好ましい実施方式に過ぎない。当業者にとって、本発明の技術範囲を逸脱しない前提で行われる改善や変更は、本発明の保護範囲に入る。
【符号の説明】
【００５２】
１０１  光束射出装置
１０２  表示装置
１０２１  表示領域
１０１１  本体
１０１２  発光モジュール
１０１３  ２段ボタン
１０２２  光感知デバイス
【図１】
2014525100.tif 000003
【図２】
2014525100.tif 000004
【図３】
2014525100.tif 000005
【国際調査報告】
2014525100.tif 000006
2014525100.tif 000007
2014525100.tif 000008
2014525100.tif 000009